(57)【要約】資金を投資するための確定コンポーネントおよび偶発コンポーネントを含む投資構造。確定コンポーネントは、資金の一部を確定利付証券に投資し、元本および確定利益を生成する。偶発コンポーネントは、資金の他の一部を、非確定利付証券に投資し、偶発利益を生成する。確定利益は、確定コンポーネントに選択的に分配または再投資され、偶発利益は、そのコンポーネントのためのトレーディング・プールを押し上げ、投資に対するリターンを潜在的に増やすために、偶発コンポーネントに再投資される。【特許請求の範囲】
【請求項１】
投資構造を提供する方法であって、該方法は、
投資される資金を受け取るステップと、
元本および確定利益を生成する確定コンポーネントに、資金の第１部分を投資するステップと、
偶発利益を生成する偶発コンポーネントに、資金の第２部分を投資するステップと、
確定利益の少なくとも一部を、確定コンポーネントに再投資するステップと、
偶発利益の少なくとも一部を、偶発コンポーネントに再投資するステップと、
を含む方法。
【請求項２】
請求項１に記載の方法において、該方法はさらに、
確定コンポーネントを投資するためのトラスティを使用するステップと、
偶発コンポーネントを投資するためのパートナシップを使用するステップと、
を含む方法。
【請求項３】
請求項１に記載の方法において、
第１部分を投資する前記ステップが、資金の６０から９０パーセントを確定コンポーネントに投資するステップを含み、
第２部分を投資する前記ステップが、資金の４０から１０パーセントを偶発コンポーネントに投資するステップを含む、方法。
【請求項４】
請求項１に記載の方法において、
第１部分を投資する前記ステップが、確定コンポーネントを、米財務省中期証券、ＡＡＡ格付け証券、ＡＡ格付け証券、地方債証券、または変動金利証券の１つまたは複数に、投資するステップを含む、方法。
【請求項５】
請求項１に記載の方法において、
第２部分を投資する前記ステップが、偶発コンポーネントを、先物、オプションまたはフォワード・ポジションの１つまたは複数に、投資するステップを含む、方法。
【請求項６】
請求項１に記載の方法において、該方法はさらに、
投資期間の後に、確定コンポーネント、偶発コンポーネント、確定利益、および偶発利益を分配するステップを、
含む方法。
【請求項７】
投資構造を提供する方法であって、該方法は、
投資される資金を受け取るステップと、
元本および確定利益を生成する確定コンポーネントに、資金の第１部分を投資するステップと、
偶発利益を生成する偶発コンポーネントに、資金の第２部分を投資するステップと、
確定利益の少なくとも一部を分配するステップと、
偶発利益の少なくとも一部を偶発コンポーネントに再投資するステップと、
を含む方法。
【請求項８】
請求項７に記載の方法において、該方法はさらに、
確定コンポーネントを投資するためのトラスティを使用するステップと、
偶発コンポーネントを投資するためのパートナシップを使用するステップと、
を含む方法。
【請求項９】
請求項７に記載の方法において、
第１部分を投資する前記ステップが、資金の６０から９０パーセントを確定コンポーネントに投資するステップを含み、
第２部分を投資する前記ステップが、資金の４０から１０パーセントを偶発コンポーネントに投資するステップを含む、方法。
【請求項１０】
請求項７に記載の方法において、
第１部分を投資する前記ステップが、確定コンポーネントを、米財務省中期証券、ＡＡＡ格付け証券、ＡＡ格付け証券、地方債証券、または変動金利証券の１つまたは複数に、投資するステップを含む、方法。
【請求項１１】
請求項７に記載の方法において、
第２部分を投資する前記ステップが、偶発コンポーネントを、先物、オプションまたはフォワード・ポジションの１つまたは複数に、投資するステップを含む、方法。
【請求項１２】
請求項７に記載の方法において、該方法はさらに、
投資期間の後に、確定コンポーネント、偶発コンポーネント、および偶発利益を分配するステップを、
含む方法。
【請求項１３】
投資構造を提供する方法であって、該方法は、
投資される資金を受け取るステップと、
元本および確定利益を生成する確定コンポーネントに、資金の第１部分を投資するステップと、
偶発利益を生成する偶発コンポーネントに、資金の第２部分を投資するステップと、
確定利益の少なくとも一部を確定コンポーネントに再投資するステップと、
偶発利益の少なくとも一部を分配するステップと、
を含む方法。
【請求項１４】
請求項１３に記載の方法において、該方法はさらに、
確定コンポーネントを投資するためのトラスティを使用するステップと、
偶発コンポーネントを投資するためのパートナシップを使用するステップと、
を含む方法。
【請求項１５】
請求項１３に記載の方法において、
第１部分を投資する前記ステップが、資金の６０から９０パーセントを確定コンポーネントに投資するステップを含み、
第２部分を投資する前記ステップが、資金の４０から１０パーセントを偶発コンポーネントに投資するステップを含む、方法。
【請求項１６】
請求項１３に記載の方法において、
第１部分を投資する前記ステップが、確定コンポーネントを、米財務省中期証券、ＡＡＡ格付け証券、ＡＡ格付け証券、地方債証券、または変動金利証券の１つまたは複数に、投資するステップを含む、方法。
【請求項１７】
請求項１３に記載の方法において、
第２部分を投資する前記ステップが、偶発コンポーネントを、先物、オプションまたはフォワード・ポジションの１つまたは複数に、投資するステップを含む、方法。
【請求項１８】
請求項１３に記載の方法において、該方法はさらに、
投資期間の後に、確定コンポーネント、偶発コンポーネント、および確定利益を分配するステップを、
含む方法。
【請求項１９】
投資構造を提供する方法であって、該方法は、
投資される複数の資金を受け取るステップと、
元本および合同確定利益を生成する合同確定コンポーネントに、前記複数の資金の第１部分を投資するステップと、
合同偶発利益を生成する合同偶発コンポーネントに、前記複数の資金の第２部分を投資するステップと、
合同確定利益の少なくとも一部を、合同確定コンポーネントに再投資するステップと、
合同偶発利益の少なくとも一部を、合同偶発コンポーネントに再投資するステップと、
を含む方法。
【請求項２０】
請求項１９に記載の方法において、該方法はさらに、
合同確定コンポーネントを投資するためのトラスティを使用するステップと、
合同偶発コンポーネントを投資するためのパートナシップを使用するステップと、
を含む方法。
【請求項２１】
請求項１９に記載の方法において、
第１部分を投資する前記ステップが、それぞれの資金の６０から９０パーセントを、合同確定コンポーネントに投資するステップを含み、
第２部分を投資する前記ステップが、それぞれの資金の４０から１０パーセントを、合同偶発コンポーネントに投資するステップを含む、方法。
【請求項２２】
請求項１９に記載の方法において、
第１部分を投資する前記ステップが、合同確定コンポーネントを、米財務省中期証券、ＡＡＡ格付け証券、ＡＡ格付け証券、地方債証券、または変動金利証券の１つまたは複数に、投資するステップを含む、方法。
【請求項２３】
請求項１９に記載の方法において、
第２部分を投資する前記ステップが、合同偶発コンポーネントを、先物、オプションまたはフォワード・ポジションの１つまたは複数に、投資するステップを含む、方法。
【請求項２４】
請求項１９に記載の方法において、該方法はさらに、
投資期間の後に、合同確定コンポーネント、合同偶発コンポーネント、合同確定利益、および合同偶発利益を分配するステップを、
含む方法。
【請求項２５】
投資構造を提供する方法であって、該方法は、
投資される複数の資金を受け取るステップと、
元本および合同確定利益を生成する合同確定コンポーネントに、前記複数の資金の第１部分を投資するステップと、
合同偶発利益を生成する合同偶発コンポーネントに、前記複数の資金の第２部分を投資するステップと、
合同確定利益の少なくとも一部を分配するステップと、
合同偶発利益の少なくとも一部を、合同偶発コンポーネントに再投資するステップと、
を含む方法。
【請求項２６】
請求項２５に記載の方法において、該方法はさらに、
合同確定コンポーネントを投資するためのトラスティを使用するステップと、
合同偶発コンポーネントを投資するためのパートナシップを使用するステップと、
を含む方法。
【請求項２７】
請求項２５に記載の方法において、
第１部分を投資する前記ステップが、それぞれの資金の６０から９０パーセントを、合同確定コンポーネントに投資するステップを含み、
第２部分を投資する前記ステップが、それぞれの資金の４０から１０パーセントを、合同偶発コンポーネントに投資するステップを含む、方法。
【請求項２８】
請求項２５に記載の方法において、
第１部分を投資する前記ステップが、合同確定コンポーネントを、米財務省中期証券、ＡＡＡ格付け証券、ＡＡ格付け証券、地方債証券、または変動金利証券の１つまたは複数に、投資するステップを含む、方法。
【請求項２９】
請求項２５に記載の方法において、
第２部分を投資する前記ステップが、合同偶発コンポーネントを、先物、オプションまたはフォワード・ポジションの１つまたは複数に、投資するステップを含む、方法。
【請求項３０】
請求項２５に記載の方法において、該方法はさらに、
投資期間の後に、合同確定コンポーネント、合同偶発コンポーネント、および合同偶発利益を分配するステップを、
含む方法。
【請求項３１】
投資構造を提供する方法であって、該方法は、
投資される複数の資金を受け取るステップと、
元本および合同確定利益を生成する合同確定コンポーネントに、前記複数の資金の第１部分を投資するステップと、
第１合同偶発利益を生成する合同分配偶発コンポーネントに、前記複数の資金の第１組の第２部分を投資するステップと、
第２合同偶発利益を生成する合同再投資偶発コンポーネントに、前記複数の資金の第２組の第２部分を投資するステップと、
合同確定利益の少なくとも一部を分配するステップと、
第１合同偶発利益の少なくとも一部を分配するステップと、
合同再投資偶発コンポーネントに、第２合同偶発利益の少なくとも一部を再投資するステップと、
を含む方法。
【請求項３２】
請求項３１に記載の方法において、該方法は、
合同確定コンポーネントを投資するためのトラスティを使用するステップと、
合同分配偶発コンポーネントおよび合同再投資偶発コンポーネントを投資するためのパートナシップを使用するステップと、
を含む方法。
【請求項３３】
請求項３１に記載の方法において、
第１部分を投資する前記ステップが、それぞれの資金の６０から９０パーセントを、合同確定コンポーネントに投資するステップを含み、
第１組の第２部分を投資する前記ステップが、資金の第１組のそれぞれの４０から１０パーセントを、合同分配偶発コンポーネントに投資するステップを含み、
第２組の第２部分を投資する前記ステップが、資金の第２組のそれぞれの４０から１０パーセントを、合同再投資偶発コンポーネントに投資するステップとを含む、方法。
【請求項３４】
請求項３１に記載の方法において、
第１部分を投資する前記ステップが、合同確定コンポーネントを、米財務省中期証券、ＡＡＡ格付け証券、ＡＡ格付け証券、地方債証券、または変動金利証券の１つまたは複数に、投資するステップを含む、方法。
【請求項３５】
請求項３１に記載の方法において、
第２部分を投資する前記ステップが、合同分配偶発コンポーネントおよび合同再投資偶発コンポーネントを、先物、オプション、またはフォワード・ポジションの１つまたは複数に、投資するステップを含む、方法。
【請求項３６】
請求項３１に記載の方法において、該方法はさらに、
投資期間の後に、合同確定コンポーネント、合同偶発分配コンポーネント、合同再投資偶発コンポーネント、および第２合同偶発利益を分配するステップを、
含む方法。
【請求項３７】
投資構造を提供する方法であって、該方法は、
投資される複数の資金を受け取るステップと、
元本および合同確定利益を生成する合同確定コンポーネントに、前記複数の資金の第１部分を投資するステップと、
第１合同偶発利益を生成する合同分配偶発コンポーネントに、前記複数の資金の第１組の第２部分を投資するステップと、
第２合同偶発利益を生成する合同再投資偶発コンポーネントに、前記複数の資金の第２組の第２部分を投資するステップと、
合同確定コンポーネントに、合同確定利益の少なくとも一部を再投資するステップと、
第１合同偶発利益の少なくとも一部を分配するステップと、
合同再投資偶発コンポーネントに、第２合同偶発利益の少なくとも一部を再投資するステップと、
を含む方法。
【請求項３８】
請求項３７に記載の方法において、該方法は、
合同確定コンポーネントを投資するためのトラスティを使用するステップと、
合同分配偶発コンポーネントおよび合同再投資偶発コンポーネントを投資するためのパートナシップを使用するステップと、
を含む方法。
【請求項３９】
請求項３７に記載の方法において、
第１部分を投資する前記ステップが、それぞれの資金の６０から９０パーセントを、合同確定コンポーネントに投資するステップを含み、
第１組の第２部分を投資する前記ステップが、資金の第１組のそれぞれの４０から１０パーセントを、合同分配偶発コンポーネントに投資するステップを含み、
第２組の第２部分を投資する前記ステップが、資金の第２組のそれぞれの４０から１０パーセントを、合同再投資偶発コンポーネントに投資するステップとを含む、方法。
【請求項４０】
請求項３７に記載の方法において、
第１部分を投資する前記ステップが、合同確定コンポーネントを、米財務省中期証券、ＡＡＡ格付け証券、ＡＡ格付け証券、地方債証券、または変動金利証券の１つまたは複数に、投資するステップを含む、方法。
【請求項４１】
請求項３７に記載の方法において、
第２部分を投資する前記ステップが、合同分配偶発コンポーネントおよび合同再投資偶発コンポーネントを、先物、オプション、またはフォワード・ポジションの１つまたは複数に、投資するステップを含む、方法。
【請求項４２】
請求項３７に記載の方法において、該方法はさらに、
投資期間の後に、合同確定コンポーネント、合同確定利益、合同偶発分配コンポーネント、合同再投資偶発コンポーネント、および第２合同偶発利益を分配するステップを、
含む方法。
【請求項４３】
投資構造であって、該構造は、
資金の第１部分を投資し、元本および確定利益を生成する確定コンポーネントと、
資金の第２部分を投資し、偶発利益を生成する偶発コンポーネントと、
を備え、
確定利益の少なくとも一部が、確定コンポーネントに再投資され、
偶発利益の少なくとも一部が、偶発コンポーネントに再投資される、投資構造。
【請求項４４】
請求項４３に記載の投資構造において、
トラスティは、前記確定コンポーネントを投資し、
パートナシップは、前記偶発コンポーネントを投資する、投資構造。
【請求項４５】
請求項４３に記載の投資構造において、
前記確定コンポーネントが、資金の６０から９０パーセントを投資し、
前記偶発コンポーネントが、資金の４０から１０パーセントを投資する、投資構造。
【請求項４６】
請求項４３に記載の投資構造において、
前記確定コンポーネントが、第１部分を、米財務省中期証券、ＡＡＡ格付け証券、ＡＡ格付け証券、地方債証券、または変動金利証券の１つまたは複数に、投資する、投資構造。
【請求項４７】
請求項４３に記載の投資構造において、
前記偶発コンポーネントが、第２部分を、先物、オプション、またはフォワード・ポジションの１つまたは複数に、投資する、投資構造。
【請求項４８】
請求項４３に記載の投資構造において、投資期間に、前記確定コンポーネントおよび前記偶発コンポーネントが、資金の第１および第２部分を投資する、投資構造。
【請求項４９】
投資構造であって、該構造は、
資金の第１部分を投資し、元本および確定利益を生成する確定コンポーネントと、
資金の第２部分を投資し、偶発利益を生成する偶発コンポーネントと、
を備え、
前記確定利益の少なくとも一部が、分配され、
前記偶発利益の少なくとも一部が、偶発コンポーネントに再投資される、投資構造。
【請求項５０】
請求項４９に記載の投資構造において、
トラスティは、前記確定コンポーネントを投資し、
パートナシップは、前記偶発コンポーネントを投資する、投資構造。
【請求項５１】
請求項４９に記載の投資構造において、
前記確定コンポーネントが、資金の６０から９０パーセントを投資し、
前記偶発コンポーネントが、資金の４０から１０パーセントを投資する、投資構造。
【請求項５２】
請求項４９に記載の投資構造において、
前記確定コンポーネントが、第１部分を、米財務省中期証券、ＡＡＡ格付け証券、ＡＡ格付け証券、地方債証券、または変動金利証券の１つまたは複数に、投資する、投資構造。
【請求項５３】
請求項４９に記載の投資構造において、
前記偶発コンポーネントが、第２部分を、先物、オプション、またはフォワード・ポジションの１つまたは複数に、投資する、投資構造。
【請求項５４】
請求項４９に記載の投資構造において、投資期間に、前記確定コンポーネントおよび前記偶発コンポーネントが、資金の第１および第２部分を投資する、投資構造。
【請求項５５】
投資構造であって、該構造は、
資金の第１部分を投資し、元本および確定利益を生成する確定コンポーネントと、
資金の第２部分を投資し、偶発利益を生成する偶発コンポーネントと、
を備え、
前記確定利益の少なくとも一部が、確定コンポーネントに再投資され、
前記偶発利益の少なくとも一部が、分配される、投資構造。
【請求項５６】
請求項５５に記載の投資構造において、
トラスティは、前記確定コンポーネントを投資し、
パートナシップは、前記偶発コンポーネントを投資する、投資構造。
【請求項５７】
請求項５５に記載の投資構造において、
前記確定コンポーネントは、資金の６０から９０パーセントを投資し、
前記偶発コンポーネントが、資金の４０から１０パーセントを投資する、投資構造。
【請求項５８】
請求項５５に記載の投資構造において、
前記確定コンポーネントが、第１部分を、米財務省中期証券、ＡＡＡ格付け証券、ＡＡ格付け証券、地方債証券、または変動金利証券の１つまたは複数に、投資する、投資構造。
【請求項５９】
請求項５５に記載の投資構造において、
前記偶発コンポーネントが、第２部分を、先物、オプション、またはフォワード・ポジションの１つまたは複数に、投資する、投資構造。
【請求項６０】
請求項５５に記載の投資構造において、投資期間に、前記確定コンポーネントおよび前記偶発コンポーネントが、資金の第１および第２部分を投資する、投資構造。
【請求項６１】
投資構造であって、該構造は、
複数の資金の第１部分を投資し、元本および合同確定利益を生成する合同確定コンポーネントと、
前記複数の資金の第２部分を投資し、合同偶発利益を生成する合同偶発コンポーネントと、
を備え、
前記合同確定利益の少なくとも一部が、合同確定コンポーネントに再投資され、
前記合同偶発利益の少なくとも一部が、合同偶発コンポーネントに再投資される、投資構造。
【請求項６２】
請求項６１に記載の投資構造において、
トラスティは、前記合同確定コンポーネントを投資し、
パートナシップは、合同偶発コンポーネントを投資する、投資構造。
【請求項６３】
請求項６１に記載の投資構造において、
前記合同確定コンポーネントが、それぞれの資金の６０から９０パーセントを投資し、
前記合同偶発コンポーネントが、それぞれの資金の４０から１０パーセントを投資する、投資構造。
【請求項６４】
請求項６１に記載の投資構造において、
前記合同確定コンポーネントが、米財務省中期証券、ＡＡＡ格付け証券、ＡＡ格付け証券、地方債証券、または変動金利証券の１つまたは複数に、投資される、投資構造。
【請求項６５】
請求項６１に記載の投資構造において、
前記合同偶発コンポーネントが、先物、オプション、またはフォワード・ポジションの１つまたは複数に、投資される、投資構造。
【請求項６６】
請求項６１に記載の投資構造において、投資期間に、前記合同確定コンポーネントおよび前記合同偶発コンポーネントが、それぞれの資金の第１および第２部分を投資する、投資構造。
【請求項６７】
投資構造であって、該構造は、
複数の資金の第１部分を投資し、元本および合同確定利益を生成する合同確定コンポーネントと、
前記複数の資金の第２部分を投資し、合同偶発利益を生成する合同偶発コンポーネントと、
を備え、
前記合同確定利益の少なくとも一部が、分配され、
前記合同偶発利益の少なくとも一部が、合同偶発コンポーネントに再投資される、投資構造。
【請求項６８】
請求項６７に記載の投資構造において、
トラスティは、前記合同確定コンポーネントを投資し、
パートナシップは、合同偶発コンポーネントを投資する、投資構造。
【請求項６９】
請求項６７に記載の投資構造において、
前記合同確定コンポーネントが、それぞれの資金の６０から９０パーセントを投資し、
前記合同偶発コンポーネントが、それぞれの資金の４０から１０パーセントを投資する、投資構造。
【請求項７０】
請求項６７の投資構造において、
前記合同確定コンポーネントが、米財務省中期証券、ＡＡＡ格付け証券、ＡＡ格付け証券、地方債証券、または変動金利証券の１つまたは複数に、投資される、投資構造。
【請求項７１】
請求項６７に記載の投資構造において、
前記合同偶発コンポーネントが、先物、オプション、またはフォワード・ポジションの１つまたは複数に、投資される、投資構造。
【請求項７２】
請求項６７に記載の投資構造において、投資期間に、前記合同確定コンポーネントおよび前記合同偶発コンポーネントが、それぞれの資金の第１および第２部分を投資する、投資構造。
【請求項７３】
投資構造であって、該構造は、
複数の資金の第１部分を投資し、元本および合同確定利益を生成する合同確定コンポーネントと、
前記複数の資金の第１組の第２部分を投資し、第１合同偶発利益を生成する合同分配偶発コンポーネントと、
前記複数の資金の第２組の第２部分を投資し、第２合同偶発利益を生成する合同再投資偶発コンポーネントと、
を備え、
前記合同確定利益の少なくとも一部が、分配され、
前記第１合同偶発利益の少なくとも一部が、分配され、
前記第２合同偶発利益の少なくとも一部が、合同再投資偶発コンポーネントに再投資される、投資構造。
【請求項７４】
請求項７３に記載の投資構造において、
トラスティは、前記合同確定コンポーネントを投資し、
パートナシップは、前記合同分配偶発コンポーネントおよび前記合同再投資偶発コンポーネントを投資する、投資構造。
【請求項７５】
請求項７３に記載の投資構造において、
前記合同確定コンポーネントが、それぞれの資金の６０から９０パーセントを投資し、
前記合同分配偶発コンポーネントが、資金の第１組のそれぞれの４０から１０パーセントを投資し、
前記合同再投資偶発コンポーネントが、資金の第２組のそれぞれの４０から１０パーセントを投資する、投資構造。
【請求項７６】
請求項７３の投資構造において、
前記合同確定コンポーネントが、米財務省中期証券、ＡＡＡ格付け証券、ＡＡ格付け証券、地方債証券、または変動金利証券の１つまたは複数に、投資される、投資構造。
【請求項７７】
請求項７３に記載の投資構造において、
前記合同分配偶発コンポーネントおよび前記合同再投資偶発コンポーネントが、先物、オプション、またはフォワード・ポジションの１つまたは複数に、投資される、投資構造。
【請求項７８】
請求項７３に記載の投資構造において、投資期間に、前記合同確定コンポーネント、前記合同分配偶発コンポーネント、および前記合同再投資偶発コンポーネントが、それぞれの資金の第１および第２部分を投資する、投資構造。
【請求項７９】
投資構造であって、該構造は、
複数の資金の第１部分を投資し、元本および合同確定利益を生成する合同確定コンポーネントと、
前記複数の資金の第１組の第２部分を投資し、第１合同偶発利益を生成する合同分配偶発コンポーネントと、
前記複数の資金の第２組の第２部分を投資し、第２合同偶発利益を生成する合同再投資偶発コンポーネントと、
を備え、
前記合同確定利益の少なくとも一部が、合同確定コンポーネントに再投資され、
前記第１合同偶発利益の少なくとも一部が、分配され、
前記第２合同偶発利益の少なくとも一部が、合同再投資偶発コンポーネントに再投資される、投資構造。
【請求項８０】
請求項７９に記載の投資構造において、
トラスティは、前記合同確定コンポーネントを投資し、
パートナシップは、前記合同分配偶発コンポーネントおよび前記合同再投資偶発コンポーネントを投資する、投資構造。
【請求項８１】
請求項７９に記載の投資構造において、
前記合同確定コンポーネントが、それぞれの資金の６０から９０パーセントを投資し、
前記合同分配偶発コンポーネントが、資金の第１組のそれぞれの４０から１０パーセントを投資し、
前記合同再投資偶発コンポーネントが、資金の第２組のそれぞれの４０から１０パーセントを投資する、投資構造。
【請求項８２】
請求項７９に記載の投資構造において、
前記合同確定コンポーネントが、米財務省中期証券、ＡＡＡ格付け証券、ＡＡ格付け証券、地方債証券、または変動金利証券の１つまたは複数に、投資される、投資構造。
【請求項８３】
請求項７９に記載の投資構造において、
前記合同分配偶発コンポーネントおよび前記合同再投資偶発コンポーネントが、先物、オプション、またはフォワード・ポジションの１つまたは複数に、投資される、投資構造。
【請求項８４】
請求項７９に記載の投資構造において、投資期間に、前記合同確定コンポーネント、前記合同分配偶発コンポーネント、および前記合同再投資偶発コンポーネントが、それぞれの資金の第１および第２部分を投資する、投資構造。
【発明の詳細な説明】
【０００１】
【関連出願の相互参照】
本出願は、２０００年６月１３日に出願された米国特許出願第０９／５９２８４５号の優先権の利益を本明細書で主張し、その出願を参照により本明細書に組み込む。
【０００２】
【発明の分野】
本発明は、選択的に分配または再投資される利益を生成する確定コンポーネントおよび偶発コンポーネントを有する投資構造および方法に関する。
【０００３】
【発明の背景】
投資構造は、米財務省中期証券などの確定利付証券と、インデックス、先物、オプションなどの非確定利付証券とを含む。確定利付証券は、確実なリターンを提供し、したがって、低リスクである。非確定利付証券は、より大きい損失リスクを伴うが、確定利付証券より著しく大きいリターンを生成することもできる。投資家は、ときとして、非確定利付証券に付随する完全なリスクを伴うことなく、確定利付証券が提供するより大きいリターンを希望する。
【０００４】
したがって、確定利付証券の低リスクと非確定利付証券でのより大きいリターンの可能性とを組み合わせる投資構造の存在が必要とされる。
【０００５】
【発明の概要】
本発明による方法は、投資される資金のための投資構造を提供する。本方法は、元本および確定利益を生成する確定コンポーネントに、資金の第１部分を投資するステップと、偶発利益を生成する偶発コンポーネントに、資金の第２部分を投資するステップと、を含む。確定利益は、確定コンポーネントに、選択的に分配または再投資され、偶発利益は、偶発コンポーネントに、再投資される。
【０００６】
本発明による他の方法は、投資される複数の資金のための投資構造を提供する。本方法は、元本および合同確定利益を生成する合同確定コンポーネントに、複数の資金の第１部分を投資するステップを含む。本方法は更に、合同偶発利益を生成する合同偶発コンポーネントに、複数の資金の第２部分を投資するステップを含む。本方法を用いると、合同偶発利益の一部が、分配されることになっているか否かに依存して、第２部分は、分割して、合同分配偶発コンポーネントと合同再投資偶発コンポーネントの間で、投資することができる。合同確定利益は、合同確定コンポーネントに、選択的に分配または再投資される。合同偶発利益は、合同偶発コンポーネントに再投資され、その一部は、合同分配偶発コンポーネントから、選択的に分配することができる。
【０００７】
本発明による投資構造は、資金を投資するための２つのコンポーネントを含む。確定コンポーネントは、資金の第１部分を投資して元本および確定利益を生成し、偶発コンポーネントは、資金の第２部分を投資して偶発利益を生成する。確定利益は、確定コンポーネントに選択的に分配または再投資され、偶発利益は、偶発コンポーネントに再投資される。
【０００８】
本発明による他の投資構造は、複数の資金を投資するための２つのコンポーネントを含む。合同確定コンポーネントは、資金の第１部分を投資して合同確定利益を生成し、合同偶発コンポーネントは、資金の第２部分を投資して合同偶発利益を生成する。合同確定利益は、合同確定コンポーネントに選択的に分配または再投資される。合同偶発利益は、合同偶発コンポーネントに再投資され、一部を選択的に分配することができる。
【０００９】
【詳細な説明】
添付の図面は、本明細書内に組み込まれてその一部を構成し、本明細書と共に、本発明の利点および原理を説明する。
【００１０】
（投資構造）
図１は、再投資された確定利益と再投資された偶発利益とを有する、単一顧客のための投資構造１０の図である。図２は、分配された確定利益と再投資された偶発利益とを有する投資構造１０を示す。図３は、再投資された確定利益と分配された偶発利益とを有する投資構造１０を示す。図１〜図３に示すように、投資構造１０は、投資される資金を含み、それらの資金は、２つの部分１６および１８に分割される。部分１６は、確定コンポーネント１２に投資され、部分１８は、偶発コンポーネント１４に投資される。例示的な実施形態において、資金の６０から９０パーセント（部分１６）が、確定コンポーネントに投資され、資金の残りの１０から４０パーセント（部分１８）は、偶発コンポーネントに投資される。しかし、２つの部分に対する他のパーセンテージまたは範囲を使用することもできる。
【００１１】
「確定コンポーネント」という用語は、任意の１つまたは複数の確定利付証券に投資することを指し、限定されることのない例には、米財務省中期証券、ＡＡＡ格付け証券、ＡＡ格付け証券、地方債証券、および変動金利証券が含まれる。「偶発コンポーネント」という用語は、非確定利付証券を指し、限定されることのない例には、先物、オプション、およびフォワード・ポジションが含まれる。「偶発利益」という用語は、偶発コンポーネントの少なくとも一部を投資することから生じる、トレーディング会社または他のエンティティからの利益を指す。さらに管理手数料を、確定および偶発コンポーネントの１つまたは両方から控除することができる。
【００１２】
確定コンポーネント１２は、元本および確定利益２０を生成し、それらは、図１および図３に示すように、確定コンポーネント１２に再投資するか、または図２に示すように、顧客２４に分配することができる。確定利益２０が分配される場合、通常は、定期的に分配される。偶発コンポーネント１４は、偶発利益２２を生成し、それらは、図１および図２に示すように、偶発コンポーネント１４に再投資するか、または図３に示すように、顧客２４に分配することができる。偶発利益を再投資することは、偶発コンポーネント１４のためのトレーディング・プールを押し上げて、投資に対するリターンを増やすことを助ける。
【００１３】
図１〜図３内の破線矢印によって示す代替例として、確定利益２０の一部を、偶発コンポーネント１４に、選択的に再投資することができ、偶発利益２２の一部を、確定コンポーネント１２に、選択的に再投資することができる。同様に、確定および偶発利益の分配は、利益のすべてまたはその一部のみを分配することを含むことができ、確定および偶発利益の再投資は、利益のすべてまたはその一部のみを投資することを含むことができる。他の代替例として、確定利益および偶発利益の両方を再投資しないで、投資期間中に分配することができる。
【００１４】
図４は、再投資された合同確定利益と再投資された合同偶発利益とを有する、複数顧客のための投資構造３０の図であり、図５は、分配された合同確定利益を有する投資構造３０を示す。図４および図５に示すように、複数の資金が、第１部分３４および３６に分割され、組み合わされ、合同確定コンポーネント３２に投資される。ここで、「複数の資金」という用語は、複数の顧客からの資金を指す。複数の資金はまた、第２部分４０および４２に分割され、組み合わされ、合同偶発コンポーネント３８に投資される。一例示的な実施形態において、合同資金の６０から９０パーセント（部分３４および３６）が、合同確定コンポーネントに投資され、合同資金の残りの１０から４０パーセント（部分４０および４２）が、合同偶発コンポーネントに投資される。しかし、その２つの部分に対して他のパーセンテージを使用することもできる。
【００１５】
「合同確定コンポーネント」という用語は、複数の顧客資金を投資する任意の確定コンポーネントを指す。「合同偶発コンポーネント」という用語は、複数の顧客資金を投資する任意の偶発コンポーネントを指す。
【００１６】
合同確定コンポーネント３２は、合同確定利益４４を生成し、合同確定利益４４は、図４に示すように、合同確定コンポーネント３２に再投資するか、または図５に示すように、顧客４８および５０に分配することができる。合同偶発コンポーネント３８は、合同偶発利益４６を生成し、合同偶発利益４６は、図に示すように、合同偶発コンポーネント３８に再投資されて、トレーディング・プールを押し上げ、投資に対するリターンを増やす可能性がある。
【００１７】
図６は、再投資された合同確定利益と選択的に再投資かつ分配された合同偶発利益とを有する、複数顧客のための投資構造６０の図である。図７は、分配された合同確定利益を有する投資構造６０を示す。図６および図７に示すように、複数の資金は、第１部分６４、６６、６８および７０に分割され、組み合わされて、合同確定コンポーネント６２に投資される。資金はまた、第２部分７２、７４、７６、および７８にも分割される。
【００１８】
合同偶発利益の分配を希望する顧客に対して、それらの顧客の資金は、第２部分７２および７４に分割され、組み合わされて、合同分配偶発コンポーネント８０に投資される。合同偶発利益の再投資を希望する顧客に対して、それらの顧客の資金は、第２部分７６および７８に分割され、組み合わされて、合同再投資偶発コンポーネント８２に投資される。一例示的な実施形態において、合同資金の６０から９０パーセント（部分６４、６６、６８、および７０）が、合同確定コンポーネントに投資され、合同資金の残りの１０から４０パーセント（部分７２、７４、７６、および７８）は、図に示すように、合同分配偶発コンポーネントおよび合同再投資偶発コンポーネントに投資される。しかし、２つの部分に対する他のパーセンテージを使用することもできる。
【００１９】
「合同分配偶発コンポーネント」という用語は、合同偶発コンポーネントから生成された利益が関連する顧客に分配される任意の合同偶発コンポーネントを指す。「合同再投資偶発コンポーネント」という用語は、合同偶発コンポーネントから生成された利益が合同偶発コンポーネントに再投資される任意の合同偶発コンポーネントを指す。
【００２０】
合同分配偶発コンポーネント８０は、顧客８８および９０に分配される合同利益８４を生成する。合同再投資偶発コンポーネント８２は、合同利益８６を生成し、図に示すように、合同再投資偶発コンポーネント８２に再投資される。合同確定コンポーネント６２は、合同確定利益９２を生成し、合同確定利益９２は、図６に示すように、合同確定コンポーネント６２に再投資するか、図７に示すように、顧客９４および９６に分配することができる。
【００２１】
投資構造３０および６０では、合同確定利益を、選択された顧客に分配し、他の顧客のために再投資することができる。合同確定利益または合同偶発利益が、投資構造３０および６０に分配されるとき、合同確定利益または合同偶発利益は、通常、それぞれの顧客が投資した資金のパーセンテージ次第で、比例して顧客に分配される。利益の何パーセントをそれぞれの特定の顧客に分配するかを計算するために、投資構造は、それぞれの顧客によって投資された資金のパーセンテージを追跡することができる。
【００２２】
図４〜図７内の破線矢印によって示す代替例として、合同確定利益の一部は、１つまたは複数の合同偶発コンポーネントに選択的に再投資することができ、合同偶発利益の一部は、合同確定コンポーネントに選択的に再投資することができる。同様に、合同確定および偶発利益の分配は、合同利益のすべてまたはその一部のみを分配することを含むことができ、合同確定および偶発利益の再投資は、合同利益のすべてまたはその一部のみを再投資することを含むことができる。他の代替例として、合同確定利益および合同偶発利益の両方を、再投資しないで、投資期間中に分配することができる。
【００２３】
（投資方法）
図８は、図１および図２内の投資構造１０に示す単一顧客のための投資構造を提供する方法１００のフローチャートである。方法１００において、投資構造は、投資される資金を受け取る（ステップ１０２）。投資パラメータは、その投資構造のために確立される（ステップ１０４）。パラメータに基づいて、投資構造は、資金の第１部分を、確定コンポーネントに投資し（ステップ１０６）、資金の第２部分を、偶発コンポーネントに投資する（ステップ１０８）。
【００２４】
投資パラメータは、例えば以下を含む：すなわち、確定コンポーネントから資金を投資するための確定利付証券；偶発コンポーネントから資金を投資するための非確定利付証券；投資期間のための存続期間；確定および偶発コンポーネント間の資金の分配パーセンテージ；投資期間中に、もしあれば、確定利益をいつ分配するか；投資期間中に、もしあれば、複数顧客のための合同偶発利益をいつ選択的に分配するか；ならびに複数顧客のための合同確定および偶発コンポーネントにそれぞれの顧客のために投資された資金のパーセンテージ。
【００２５】
投資期間中に、投資構造は、確定利益を分配するかどうかを判断し（ステップ１１０）、もしそうであれば、確定利益の分配の時かどうかを判断する（ステップ１１２）。分配の時であれば、投資構造は、確定利益を顧客に分配する（ステップ１１６）。そうでなはなくて、顧客が確定利益を分配して欲しくなかった場合、投資構造は、確定利益を確定コンポーネントに再投資する（ステップ１１４）。同様に、その投資構造は、偶発利益を偶発コンポーネントに再投資する（ステップ１１８）。
【００２６】
投資処理中に、投資構造は、パラメータに基づいて、投資期間をいつ終了すべきかも判断する（ステップ１２０）。一例示的な実施形態において、投資期間は７年である。あるいは他の投資期間を使用することもできる。投資期間が終了していなければ、投資構造は、確定利益を、選択的に分配または再投資し、偶発利益を再投資し続ける。投資期間が終了していれば、投資構造は、確定コンポーネントと偶発コンポーネントと任意の残りの確定および偶発利益とを分配する（ステップ１２２）。
【００２７】
図９は、図４〜図７内の投資構造３０および６０に示す複数顧客のための投資構造を提供する方法１３０のフローチャートである。方法１３０において、投資構造は、投資される複数の資金を受け取る（ステップ１３２）。投資パラメータは、投資構造のために確立され、上記で識別された諸パラメータを含むことができる（ステップ１３６）。パラメータに基づいて、投資構造は、合同確定コンポーネントに、資金の第１部分を投資する（ステップ１３８）。
【００２８】
その投資構造は、合同偶発利益を、選択的に分配するかどうかも、パラメータに基づいて判断する（ステップ１４０）。合同偶発利益のすべてが再投資される場合、投資構造は、合同偶発コンポーネントに、資金の第２部分を投資する（ステップ１４４）。そうでなはなくて、合同偶発利益の一部が分配される場合、投資構造は、どの顧客がその利益の分配を希望するかに基づいて、合同再投資偶発コンポーネントおよび合同分配偶発コンポーネントに、資金の第２部分を選択的に投資する（ステップ１４２）。
【００２９】
投資期間中に、投資構造は、合同確定利益を分配するかどうかを判断し（ステップ１４６）、もしそうであれば、合同確定利益の分配の時かどうかを判断する（ステップ１４８）。分配の時であれば、投資構造は、合同確定利益を選択的に分配する（ステップ１５２）。そうではなくて、顧客または顧客のサブセットが、合同確定利益を分配して欲しくなかった場合、投資構造は、合同確定利益を合同確定コンポーネントに、選択的に再投資する（ステップ１５０）。
【００３０】
また、その投資構造は、合同偶発利益を分配するかどうかも判断し（ステップ１５４）、もしそうであれば、合同偶発利益の分配の時かどうかを判断する（ステップ１５６）。分配のときであれば、投資構造は、合同分配偶発コンポーネントからの合同偶発利益を、選択された顧客に分配する（ステップ１６０）。投資構造は同様に、合同偶発利益を、合同再投資偶発コンポーネントに再投資する（ステップ１５８）。
【００３１】
投資処理中に、投資構造は同様に、投資期間をいつ終了するかを、パラメータに基づいて判断する（ステップ１６２）。投資期間が終了していなければ、投資構造は、合同確定利益および合同偶発利益を、選択的に分配するか、あるいは再投資し続ける。投資期間が終了しているとき、投資構造は、合同確定コンポーネント、合同偶発コンポーネント、および任意の残りの合同確定および偶発利益を分配する（ステップ１６４）。分配すべき額は、合計資金の中の各顧客によって投資された資金の初期パーセンテージ次第で各顧客に対して比例して判断することができる。
【００３２】
（コンピュータ実施例）
図１０は、図１〜図９に示す投資構造および方法を実施する一例示的なコンピュータ・システム１７０の図である。上記に議論した投資構造および方法は、投資パラメータにしたがって投資された資金を追跡かつ保守するための、ソフトウェア・プログラムおよび関連するデータベースを用いて実施することができる。ソフトウェア・プログラムは、コンピュータを制御して、図８および図９のフローチャートに示す諸ステップを実行することができる。
【００３３】
ソフトウェア・プログラムの使用は、これらの投資構造および方法を実施するために必要ではないが、合同コンポーネントのために多数の顧客が関与するときに特に、投資処理を容易にすることができる。例えばデータベースは、各顧客によって投資された資金のパーセンテージ、およびどの顧客が利益の分配を希望するかを指定することができる。次いでソフトウェア・プログラムは、選択された時刻にデータベースにアクセスし、その顧客に分配されるべき利益額を、さらに投資期間の最後に、分配されるべき最終額を自動的に判断することができる。ソフトウェア・プログラムは、随時個々の投資の価値を判断するために使用することができる。特に、所与の任意のときに価値を判断するために、ソフトウェアは、確定部分の現在価値を、加えられる未払いの利益と共に計算し、偶発部分の現在価値を加える。
【００３４】
システム１７０は、例えば上記議論の投資構造および方法を指定するソフトウェア・モジュールを実施するための例示的ハードウェア・コンポーネントを示すコンピュータ１７２を含む。コンピュータ１７２は、インターネットまたは他のタイプのネットワークなどのネットワーク１８８との接続を含むことができる。コンピュータ１７２は、通常、メモリ１７４、２次記憶装置１７８、プロセッサ１８２、入力装置１８６、ディスプレイ装置１８４、および出力装置１８０を含む。
【００３５】
メモリ１７４は、ランダム・アクセス・メモリ（ＲＡＭ）または同様のタイプのメモリを含んでよく、そのメモリは、プロセッサ１８２によって実行するための１つまたは複数のアプリケーション１７６を格納することができる。２次記憶装置１７８は、ハード・ディスク・ドライブ、フロッピー（登録商標）ディスク・ドライブ、ＣＤ−ＲＯＭドライブ、または他のタイプの不揮発性データ記憶を含んでよい。プロセッサ１８２は、メモリ１７４または２次記憶装置１７８内に格納されるか、あるいはインターネットまたは他のネットワーク１８８から受け取ったアプリケーションまたはプログラムを実行することができる。入力装置１８６は、マイクロフォン、デジタル・カメラ、ビデオ・レコーダまたはカムコーダ、キー・パッド、キーボード、カーソル制御装置、タッチスクリーンなど、情報をコンピュータ１７２に入力する任意の装置を含んでよい。ディスプレイ装置１８４は、例えば、コンピュータ・モニタ、フラットスクリーン・ディスプレイ、ディスプレイ・パネルなど、視覚情報を提示する任意のタイプの装置を含んでよい。出力装置１８０は、プリンタなど、情報のハード・コピーを提示する任意のタイプの装置を含むことができ、他のタイプの出力装置は、スピーカ、または音声形態で情報を提供する任意の装置を含む。
【００３６】
コンピュータ１７２は、様々なコンポーネントと共に示されているが、このコンピュータが他のまたは異なるコンポーネントを含むことができることを、当業者は理解するであろう。さらに、本発明による一実施例の諸態様が、メモリ内に格納することができると述べられているが、これらの諸態様は、ハード・ディスク、フロッピー（登録商標）ディスク、ＣＤ−ＲＯＭを含む２次記憶装置、インターネットまたは他のネットワークからの搬送波、他の形態のＲＡＭまたはＲＯＭなど、他のタイプのコンピュータ・プログラム製品またはコンピュータ可読媒体上に格納するか、それらから読取ることもまたできることを、当業者は理解するであろう。コンピュータ可読媒体は、コンピュータ１７２などのコンピュータ・システムを制御する命令を含んで、特定の方法を実行することができる。
【００３７】
（投資構造のための法的枠組および方法）
図１１は、図１〜図９に示す投資構造および方法を実施するための一例示的な法的枠組２００の図である。様々なタイプの法的枠組および法的エンティティを使用して、投資構造および方法を実施することができるが、枠組２００は、資金の投資を支配する適切な法律による１つのそのような枠組およびエンティティの一実施例を提供する。例えば、枠組２００は、確定コンポーネントを投資するためのトラスティ（ｔｒｕｓｔｅｅ）、および偶発コンポーネントを投資するための別のパートナシップ（ｐａｒｔｎｅｒｓｈｉｐ）２０５を使用する。単一顧客または合同資金を有する複数顧客のために、同じ枠組２００を使用することができる。
【００３８】
枠組（フレームワーク）２００は、投資家２０１を含み、この投資家は、投資のための資本を提供する上記に識別した顧客を表す（２０８）。好ましくは、投資家２０１には、定期的な最低限の確定利益および偶発利益をもしあれば支払い、証券が償還期限まで保有されれば償還期限に元本の完全な返済を提供する担保付き参加証券（Ｓｅｃｕｒｅｄ　Ｐａｒｔｉｃｉｐａｔｉｎｇ　Ｎｏｔｅｓ）が提供される（２０９）。償還期日は、上記に識別された投資期間の終了に一致する。
【００３９】
発行者のデラウェア・パートナシップ（Ｄｅｌａｗａｒｅ　ｐａｒｔｎｅｒｓｈｉｐ）２０３は、投資のための資本を受け取る。発行者のデラウェア・パートナシップ２０３は、払込期日の正味の収入の一部をトラスティ２０２に提供し（２１０）、払込期日の正味収入の残りを投資有限パートナシップ２０５に提供する（２１４）。好ましくは、各払込期日に関連して新しいパートナシップ２０５が形成される（２１４）。投資有限パートナシップ２０５は、偶発コンポーネントの投資を提供する。したがって、このパートナシップは、償還期日直前のその清算時に投資有限パートナシップ２０５の偶発利益および残余資産の分配を支払う投資有限パートナシップ２０５の利益の分配を半年毎に受け取る有限パートナシップ持ち分を提供する（２１５）。投資有限パートナシップ２０５は、一般のパートナ２０６および偶発コンポーネント内の資本を管理し投資するためのアドバイザ２０７と対話する。
【００４０】
トラスティ２０２は、確定コンポーネントを投資するために、例えば様々な償還期限２０４のゼロ・クーポンの米財務省長期証券を保有する。トラスティ２０２は、正味の収入の一部を証券２０４に投資して（２１０）、償還期日の最低限（確定）の利益および元本の返済の支払いを満足させる（２１３）。好ましくは、収入は、各払込期日に別々に担保されて、適切な払込期日に発行された債券に対する支払いを確実にする。
【００４１】
したがって、債券２０４は、償還期日に最低限（確定）の利益および元本の返済をトラスティ２０２に提供する（２１２）。トラスティ２０２は、償還期日に最低限（確定）の利益および元本の返済を、発行者のデラウェア・パートナシップ２０３に提供し（２１１）、デラウェア・パートナシップ２０３は、その最低限（確定）の利益および元本の返済を、投資家２０１に返済する（２０９）。
【００４２】
図１２は、図１１に示す法的枠組２００を実施するための方法２２０を示すフローチャートである。トラスティ２０２または他の法的エンティティは、確定コンポーネントを投資するために設立される（ステップ２２１）。パートナシップ２０５または他の法的エンティティもまた、偶発コンポーネントを投資するために設立される（ステップ２２２）。投資のための資金を提供する１人または複数の顧客が得られる（ステップ２２３）。確定コンポーネントとして投資するために、資金の一部は、トラスティ２０２に提供され（ステップ２２４）、偶発コンポーネントとして投資するために、資金の他の一部は、パートナシップ２０５に提供される（ステップ２２５）。上述のように、法的枠組２００を使用する投資処理の他の態様および変形形態を考えることができる。
【００４３】
一例示的な実施形態に関連して本発明を述べたが、多数の修正が当業者に容易に明らかになること、および本出願がそのいかなる応用または変形形態もカバーするものであることが理解されよう。例えば、異なるタイプの投資、資金の部分に対するパーセンテージ、利益のための分配時期、投資期間、および他の投資パラメータを、本発明の範囲から逸脱することなく使用することができる。本発明は、請求の範囲およびその等価物によってのみ限定されるべきである。
【図面の簡単な説明】
【図１】
再投資された確定および偶発利益を有する、単一顧客のための投資構造の図である。
【図２】
再投資された偶発利益および分配された確定利益を有する、単一顧客のための投資構造の図である。
【図３】
分配された偶発利益および再投資された確定利益を有する、単一顧客のための投資構造の図である。
【図４】
合同確定利益および再投資された合同偶発利益を有する、複数顧客のための投資構造の図である。
【図５】
再投資された合同偶発利益および分配された合同確定利益を有する、複数顧客のための投資構造の図である。
【図６】
再投資された合同確定利益と選択的に再投資かつ分配された合同偶発利益とを有する、複数顧客のための投資構造の図である。
【図７】
分配された合同確定利益と選択的に再投資かつ分配された合同偶発利益とを有する、複数顧客のための投資構造の図である。
【図８】
図１〜図３に示す単一顧客のための投資構造を提供する方法のフローチャートである。
【図９】
図４〜図７に示す複数顧客のための投資構造を提供する方法のフローチャートである。
【図１０】
図１〜図９に示す投資構造および方法を実施するための例示的なコンピュータ・システムの図である。
【図１１】
図１〜図９に示す投資構造および方法を実施する例示的な法的枠組の図である。
【図１２】
図１１に示す法的枠組を実施するための方法を示すフローチャートである。
【図１】
2004503883.tif 000002
【図２】
2004503883.tif 000003
【図３】
2004503883.tif 000004
【図４】
2004503883.tif 000005
【図５】
2004503883.tif 000006
【図６】
2004503883.tif 000007
【図７】
2004503883.tif 000008
【図８】
2004503883.tif 000009
【図９】
2004503883.tif 000010
【図１０】
2004503883.tif 000011
【図１１】
2004503883.tif 000012
【図１２】
2004503883.tif 000013
【国際公開パンフレット】
2004503883.tif 000014
2004503883.tif 000015
2004503883.tif 000016
2004503883.tif 000017
2004503883.tif 000018
2004503883.tif 000019
2004503883.tif 000020
2004503883.tif 000021
2004503883.tif 000022
2004503883.tif 000023
2004503883.tif 000024
2004503883.tif 000025
2004503883.tif 000026
2004503883.tif 000027
2004503883.tif 000028
2004503883.tif 000029
2004503883.tif 000030
2004503883.tif 000031
2004503883.tif 000032
2004503883.tif 000033
2004503883.tif 000034
2004503883.tif 000035
2004503883.tif 000036
2004503883.tif 000037
2004503883.tif 000038
2004503883.tif 000039
2004503883.tif 000040
2004503883.tif 000041
2004503883.tif 000042
2004503883.tif 000043
2004503883.tif 000044
2004503883.tif 000045
2004503883.tif 000046
2004503883.tif 000047
2004503883.tif 000048
2004503883.tif 000049
2004503883.tif 000050
2004503883.tif 000051
【国際調査報告】
2004503883.tif 000052
2004503883.tif 000053